(57)【要約】【課題】清掃作業の効率化に貢献することができる集塵装置を提供することを目的とする。【解決手段】本出願は、塵埃が集積される内部空間と、前記内部空間への前記塵埃の流入を許容する第１流入口と、を規定する筐体と、前記塵埃を集めるための集塵機構と、前記筐体に接続される基端部と、前記基端部とは反対側の先端部と、を含み、且つ、前記先端部から前記基端部へ向かう気流を案内するホースと、を備える集塵装置を開示する。前記筐体は、前記基端部が接続される第１接続部と、前記先端部が接続される第２接続部と、前記ホースを保持する保持部と、を含む。前記先端部は、前記第２接続部から取り外し可能である。前記保持部によって保持された前記ホースは、前記第１接続部と、前記第２接続部と、前記集塵機構の重心と、を通過する基準平面に沿って前記気流及び前記第１流入口から流入した前記塵埃を案内する。【選択図】図１
2015039378.tif 000002
【特許請求の範囲】
【請求項１】
塵埃が集積される内部空間と、前記内部空間への前記塵埃の流入を許容する第１流入口と、を規定する筐体と、
前記塵埃を集めるための集塵機構と、
前記筐体に接続される基端部と、前記基端部とは反対側の先端部と、を含み、且つ、前記先端部から前記基端部へ向かう気流を案内するホースと、を備え、
前記筐体は、前記基端部が接続される第１接続部と、前記先端部が接続される第２接続部と、前記ホースを保持する保持部と、床面に接地される底部と、前記底部とは反対側の天壁部と、前記底部と前記天壁部との間で前記内部空間を規定する周壁部と、を含み、
前記第１接続部は前記天壁部または前記周壁部に形成され、
前記第２接続部は前記第１接続部よりも筐体後方に形成され、
前記先端部は、前記第２接続部から取り外し可能であり、
前記保持部によって保持された前記ホースは、前記第１接続部と、前記第２接続部と、前記集塵機構の重心と、を通過する基準平面に沿って前記気流及び前記第１流入口から流入した前記塵埃を案内することを特徴とする集塵装置。
【請求項２】
前記集塵機構は、前記気流を発生させる気流生成部と、前記第１接続部と前記気流生成部との間で前記気流から前記塵埃を除去並びに集積する集塵部と、を含み、
前記気流生成部は、前記集塵部よりも重く、且つ、前記集塵部よりも下方に配置されることを特徴とする請求項１に記載の集塵装置。
【請求項３】
前記基準平面は、前記筐体が置かれる床面に対して垂直な垂直平面であり、
前記筐体は、前記垂直平面に対し、対称的な形状を有することを特徴とする請求項２に記載の集塵装置。
【請求項４】
前記第１接続部は、前記天壁部に形成され、
前記第２接続部は、前記周壁部に形成されることを特徴とする請求項３に記載の集塵装置。
【請求項５】
前記保持部は、前記天壁部と前記周壁部とに接続されるアーチ状の保持アームを含むことを特徴とする請求項４に記載の集塵装置。
【請求項６】
前記保持アームは、前記天壁部から上方に延出した後に下方に湾曲し、前記周壁部に接続されることを特徴とする請求項５に記載の集塵装置。
【請求項７】
塵埃が集積される内部空間と、前記内部空間への前記塵埃の流入を許容する第１流入口と、を規定する筐体と、
前記塵埃を集めるための集塵機構と、
前記筐体に接続される基端部と、前記基端部とは反対側の先端部と、を含み、且つ、前記先端部から前記基端部へ向かう気流を案内するホースと、を備え、
前記筐体は、前記基端部が接続される第１接続部と、前記先端部が接続される第２接続部と、前記ホースを保持する保持部と、床面に接地される底部と、前記底部とは反対側の天壁部と、前記底部と前記天壁部との間で前記内部空間を規定する周壁部と、を含み、
前記第１接続部は前記天壁部又は前記周壁部に形成され、
前記第２接続部は前記第１接続部よりも筐体後方に形成され、
前記先端部は、前記第２接続部から取り外し可能であり、
前記保持部によって保持された前記ホースは、前記第１接続部と、前記第２接続部と、前記集塵機構の重心と、を通過する基準平面に沿って前記気流及び前記第１流入口から流入した前記塵埃を案内し、
前記周壁部は、前記第１流入口を、前記床面と協働して規定する前壁部を含み、
前記集塵機構は、前記第１流入口に向かって開口した第２流入口を規定する流入端部と、前記先端部に連結される連結端部と、を含む内部ダクトと、を含み、
前記内部ダクトは、前記基準平面に沿って配置されることを特徴とする集塵装置。
【請求項８】
前記内部ダクトは、前記床面に沿って前記気流を案内する第１ダクトと、前記第１ダクトから上方に屈曲し、且つ、前記先端部に向けて前記気流を案内する第２ダクトと、を含むことを特徴とする請求項７に記載の集塵装置。
【請求項９】
前記第１流入口は、前記床面に沿って延びるスリットであり、
前記第１ダクトは、前記第２流入口から前記第２ダクトに向けて狭まるテーパ状の流路を規定することを特徴とする請求項８に記載の集塵装置。
【請求項１０】
前記周壁部は、前記前壁部とは反対方向に屈曲したコーナ部を規定する後壁部を含み、
前記第２ダクトは、前記コーナ部に配置され、
前記コーナ部は、前記基準平面上に形成されることを特徴する請求項８又は９に記載の集塵装置。
【請求項１１】
前記後壁部は、第１壁部と、前記コーナ部を前記第１壁部と協働して規定する第２壁部と、を含み、
前記第１壁部及び前記第２壁部には、前記集塵部によって除塵された後の空気を排気するための排気穴が形成され、
前記第１壁部と前記第２壁部とによって規定される挟角は、鋭角であることを特徴とする請求項１０に記載の集塵装置。
【請求項１２】
前記基端部は、前記第１接続部に回転可能に取り付けられることを特徴とする請求項８乃至１１のいずれか１項に記載の集塵装置。
【請求項１３】
前記ホースは、前記先端部から前記基端部までの間の流動経路を規定する管壁を含み、
前記管壁には、漏穴が形成され、
前記先端部に挿入された前記第２ダクトは、前記漏穴を閉じることを特徴とする請求項１２に記載の集塵装置。
【請求項１４】
前記先端部に取り付けられる取付部材を更に備え、
前記取付部材は、前記先端部に固定される筒部と、前記筒部から前記管壁に沿って延びる箆部と、を含み、
前記箆部は、前記ホースが前記第２接続部に接続されている間、前記管壁から離間する箆端を含むことを特徴とする請求項１３に記載の集塵装置。
【請求項１５】
前記筒部には、前記漏穴に連通する連通穴が形成されることを特徴とする請求項１４に記載の集塵装置。
【請求項１６】
前記気流生成部を作動させるための電力を伝達するための伝達部を更に備え、
前記伝達部は、電源に接続されるプラグと、前記プラグから延びるコードと、前記コードを前記内部空間内で巻き取るためのリール部と、を含み、
前記リール部は、前記集塵部よりも重く、且つ、前記集塵部の下方に配置されることを特徴とする請求項２乃至１５のいずれか１項に記載の集塵装置。
【請求項１７】
前記集塵部は、上下に伸縮するように形成された集塵袋を含むことを特徴とする請求項２乃至１６のいずれか１項に記載の集塵装置。
【発明の詳細な説明】
【技術分野】
【０００１】
本発明は、塵埃を集めるための集塵装置に関する。
【背景技術】
【０００２】
集塵装置は、清掃作業の効率化に大きく貢献する。特許文献１は、気流を用いて、モップから塵埃を吸引する集塵装置を開示する。一般的な掃除機とは異なり、使用者は、集塵装置ではなく、モップを集塵装置の周りで移動させ、モップに付着した塵埃を取り除く。
【先行技術文献】
【特許文献】
【０００３】
【特許文献１】特開２００９−２２５９０６号公報
【発明の概要】
【発明が解決しようとする課題】
【０００４】
除塵処理を受ける対象物（例えば、モップ）が、集塵装置の周囲で、移動するので、対象物が集塵装置に衝突するならば、集塵装置は転倒することもある。このことは、清掃作業を非効率にする。
【０００５】
本発明は、清掃作業の効率化に貢献することができる集塵装置を提供することを目的とする。
【課題を解決するための手段】
【０００６】
本発明の一局面に係る集塵装置は、塵埃が集積される内部空間と、前記内部空間への前記塵埃の流入を許容する第１流入口と、を規定する筐体と、前記塵埃を集めるための集塵機構と、前記筐体に接続される基端部と、前記基端部とは反対側の先端部と、を含み、且つ、前記先端部から前記基端部へ向かう気流を案内するホースと、を備える。前記筐体は、前記基端部が接続される第１接続部と、前記先端部が接続される第２接続部と、前記ホースを保持する保持部と、床面に接地される底部と、前記底部とは反対側の天壁部と、前記底部と前記天壁部との間で前記内部空間を規定する周壁部と、を含む。前記第１接続部は前記天壁部または前記周壁部に形成される。前記第２接続部は前記第１接続部よりも筐体後方に形成される。前記先端部は、前記第２接続部から取り外し可能である。前記保持部によって保持された前記ホースは、前記第１接続部と、前記第２接続部と、前記集塵機構の重心と、を通過する基準平面に沿って前記気流及び前記第１流入口から流入した前記塵埃を案内する。
【０００７】
上記構成によれば、使用者は、ホースの先端部を筐体の第２接続部に接続し、第１流入口を通じて塵埃を集めることができる。代替的に、使用者は、ホースの先端部を筐体の第２接続部から取り外し、ホースの先端部を通じて、塵埃を集めることもできる。したがって、使用者は、効率的に、塵埃を集めることができる。
【０００８】
使用者が、ホースの先端部を通じて、塵埃を集めている間、使用者が、ホースに張力を加えることもある。張力は、筐体を転倒させるように作用することもあるが、集塵機構の重心は、基準平面上にあるので、筐体は転倒しにくい。したがって、使用者は、ホースの先端部を通じて、塵埃を効率的に集めることができる。
【０００９】
使用者が、第１流入口を通じて、塵埃を集めている間、ホースは、基準平面に沿って気流及び塵埃を案内するので、基準平面に対して対称的な流動経路を設計することが容易になる。
【００１０】
上記構成において、前記集塵機構は、前記気流を発生させる気流生成部と、前記第１接続部と前記気流生成部との間で前記気流から前記塵埃を除去並びに集積する集塵部と、を含んでもよい。前記気流生成部は、前記集塵部よりも重く、且つ、前記集塵部よりも下方に配置されてもよい。
【００１１】
上記構成によれば、集塵部よりも重い気流生成部が、集塵部よりも下方に配置されるので、重心は、集塵装置が置かれる床面の近くに存在することとなる。集塵装置は、転倒しにくくなるので、使用者は、塵埃を、効率的に集めることができる。
【００１２】
上記構成において、前記基準平面は、前記筐体が置かれる床面に対して垂直な垂直平面であってもよい。前記筐体は、前記垂直平面に対し、対称的な形状を有してもよい。
【００１３】
上記構成によれば、筐体は、垂直平面に対し、対称的な形状を有するので、集塵装置は、転倒しにくくなる。したがって、使用者は、塵埃を効率的に集めることができる。
【００１４】
上記構成において、前記第１接続部は、前記天壁部に形成されてもよい。前記第２接続部は、前記周壁部に形成されてもよい。
【００１５】
上記構成によれば、第１接続部は、天壁部に形成され、且つ、第２接続部は、周壁部に形成されるので、先端部から気流生成部までの区間において、垂直平面に沿う流動経路が構築されることになる。したがって、垂直平面に対して対称的な吸引バランスが達成されるように、集塵装置は容易に設計され得る。
【００１６】
上記構成において、前記保持部は、前記天壁部と前記周壁部とに接続されるアーチ状の保持アームを含んでもよい。
【００１７】
上記構成によれば、ホースは、アーチ状の保持アームによって安定的に保持される。加えて、使用者は、保持アームを握持し、筐体を持ち上げ、移動させ、又は、傾けることができる。上述の如く、集塵装置が、垂直平面に対して対称的な重量バランスの下で設計され、且つ、保持アームが垂直平面に沿って延びるので、使用者は、筐体の持ち上げ、移動や傾斜といった動作を容易に行うことができる。
【００１８】
上記構成において、前記保持アームは、前記天壁部から上方に延出した後に下方に湾曲し、前記周壁部に接続されてもよい。
【００１９】
上記構成によれば、天壁部から上方に延出した後に下方に湾曲し、周壁部に接続されるので、使用者は、保持アームを容易に握持することができる。
【００２０】
本発明の他の局面に係る集塵装置は、塵埃が集積される内部空間と、前記内部空間への前記塵埃の流入を許容する第１流入口と、を規定する筐体と、前記塵埃を集めるための集塵機構と、前記筐体に接続される基端部と、前記基端部とは反対側の先端部と、を含み、且つ、前記先端部から前記基端部へ向かう気流を案内するホースと、を備える。前記筐体は、前記基端部が接続される第１接続部と、前記先端部が接続される第２接続部と、前記ホースを保持する保持部と、床面に接地される底部と、前記底部とは反対側の天壁部と、前記底部と前記天壁部との間で前記内部空間を規定する周壁部と、を含む。前記第１接続部は前記天壁部又は前記周壁部に形成される。前記第２接続部は前記第１接続部よりも筐体後方に形成される。前記先端部は、前記第２接続部から取り外し可能である。前記保持部によって保持された前記ホースは、前記第１接続部と、前記第２接続部と、前記集塵機構の重心と、を通過する基準平面に沿って前記気流及び前記第１流入口から流入した前記塵埃を案内する。前記周壁部は、前記第１流入口を、前記床面と協働して規定する前壁部を含む。前記集塵機構は、前記第１流入口に向かって開口した第２流入口を規定する流入端部と、前記先端部に連結される連結端部と、を含む内部ダクトと、を含む。前記内部ダクトは、前記基準平面に沿って配置される。
【００２１】
上記構成によれば、内部ダクトは、基準平面に沿って配置されるので、第１流入口から内部ダクト及びホースを通じて気流生成部へ向かう気流は、基準平面に沿うことになる。したがって、基準平面に対して対称的な吸引バランスが得られやすくなる。
【００２２】
上記構成において、前記内部ダクトは、前記床面に沿って前記気流を案内する第１ダクトと、前記第１ダクトから上方に屈曲し、且つ、前記先端部に向けて前記気流を案内する第２ダクトと、を含んでもよい。
【００２３】
上記構成によれば、床面に沿って気流を案内する第１ダクト及び第１ダクトから上方に屈曲する第２ダクトは、基準平面に沿って配置されるので、第１流入口から内部ダクト及びホースを通じて気流生成部へ向かう気流は、基準平面に沿うことになる。したがって、基準平面に対して対称的な吸引バランスが得られやすくなる。
【００２４】
上記構成において、前記第１流入口は、前記床面に沿って延びるスリットであってもよい。前記第１ダクトは、前記第２流入口から前記第２ダクトに向けて狭まるテーパ状の流路を規定してもよい。
【００２５】
上記構成によれば、第１流入口は、床面に沿って延びるスリットであるので、集塵装置は、床面上の広い領域から塵埃を吸引することができる。第１ダクトは、基準平面に沿って配置されるので、第２流入口から第２ダクトに向けて狭まるテーパ状の流路内で、基準平面に対して対称的な吸引バランスが得られやすくなる。したがって、スリットでの吸引バランスも、基準平面に対して対称的になりやすくなる。
【００２６】
上記構成において、前記周壁部は、前記前壁部とは反対方向に屈曲したコーナ部を規定する後壁部を含んでもよい。前記第２ダクトは、前記コーナ部に配置されてもよい。前記コーナ部は、前記基準平面上に形成されてもよい。
【００２７】
上記構成によれば、コーナ部は、基準平面上に形成されるので、コーナ部が、部屋の角隅部に合うように、集塵装置が配備されてもよい。第２ダクトは、コーナ部に配置されるので、筐体は、第２ダクト用に拡張される必要はない。
【００２８】
上記構成において、前記後壁部は、第１壁部と、前記コーナ部を前記第１壁部と協働して規定する第２壁部と、を含んでもよい。前記第１壁部及び前記第２壁部には、前記集塵部によって除塵された後の空気を排気するための排気穴が形成されてもよい。前記第１壁部と前記第２壁部とによって規定される挟角は、鋭角であってもよい。
【００２９】
上記構成によれば、前記第１壁部と前記第２壁部とによって規定される挟角は、鋭角であるので、第１壁部及び第２壁部のうち少なくとも一方は、部屋の壁面から離間される。したがって、空気は、排気穴を通じて、筐体から適切に排気される。
【００３０】
上記構成において、前記基端部は、前記第１接続部に回転可能に取り付けられてもよい。
【００３１】
上記構成によれば、基端部は、第１接続部に回転可能に取り付けられるので、使用者は、ホースを第１接続部周りに回転させ、筐体の周囲の領域から、塵埃を効率的に取り除くことができる。
【００３２】
上記構成において、前記ホースは、前記先端部から前記基端部までの間の流動経路を規定する管壁を含んでもよい。前記管壁には、漏穴が形成されてもよい。前記先端部に挿入された前記第２ダクトは、前記漏穴を閉じてもよい。
【００３３】
上記構成によれば、ホースの先端部が第２接続部に接続されている間、気流生成部が生じさせる吸引力は、内部ダクトの抵抗によって、低減される。ホースの先端部が第２接続部から分離されている間、漏穴は開放される。この間、気流生成部が生じさせる吸引力は、漏穴によって低減される。したがって、第１流入口から塵埃を吸引するときの吸引力とホースの先端部から塵埃を吸引するときの吸引力との差異が小さくなる。
【００３４】
上記構成において、集塵装置は、前記先端部に取り付けられる取付部材を更に備えてもよい。前記取付部材は、前記先端部に固定される筒部と、前記筒部から前記管壁に沿って延びる箆部と、を含んでもよい。前記箆部は、前記ホースが前記第２接続部に接続されている間、前記管壁から離間する箆端を含んでもよい。
【００３５】
上記構成によれば、ホースが第２接続部に接続されている間、箆端は、管壁から離間するので、使用者は、箆端を容易に握持し、先端部を第２接続部から分離することができる。
【００３６】
上記構成において、前記筒部には、前記漏穴に連通する連通穴が形成されてもよい。
【００３７】
上記構成によれば、筒部には、漏穴に連通する連通穴が形成されるので、使用者が、先端部を第２接続部から分離すると、漏穴は適切に開放される。
【００３８】
上記構成において、集塵装置は、前記気流生成部を作動させるための電力を伝達するための伝達部を更に備えてもよい。前記伝達部は、電源に接続されるプラグと、前記プラグから延びるコードと、前記コードを前記内部空間内で巻き取るためのリール部と、を含んでもよい。前記リール部は、前記集塵部よりも重く、且つ、前記集塵部の下方に配置されてもよい。
【００３９】
上記構成によれば、集塵部よりも重いリール部が、集塵部よりも下方に配置されるので、重心は、集塵装置が置かれる床面の近くに存在することとなる。集塵装置は、転倒しにくくなるので、使用者は、塵埃を、効率的に集めることができる。加えて、使用者は、コードによって定められる範囲で、筐体を移動しながら、塵埃を効率的に集めることができる。
【００４０】
上記構成において、前記集塵部は、上下に伸縮するように形成された集塵袋を含んでもよい。
【００４１】
上記構成によれば、集塵袋は、上下に伸縮可能に形成されるので、集塵袋は、気流生成部によって下方に伸長することができる。したがって、塵埃は、集塵袋内に適切に格納される。
【発明の効果】
【００４２】
本発明に係る集塵装置は、清掃作業の効率化に貢献することができる。
【図面の簡単な説明】
【００４３】
【図１】第１実施形態の集塵装置の設計原理を表す概念図である。
【図２】第２実施形態の集塵装置の概略的な斜視図である。
【図３Ａ】図２に示される集塵装置の前外殻片の概略的な斜視図である。
【図３Ｂ】図３Ａに示される前外殻片の概略的な斜視図である。
【図４Ａ】図２に示される集塵装置の概略的な右側面図である。
【図４Ｂ】図４Ａに示されるＡ−Ａ線に沿う概略的な断面図である。
【図５】図２に示される集塵装置の概略的な背面図である。
【図６Ａ】図２に示される集塵装置の概略的な正面図である。
【図６Ｂ】図６Ａに示されるＡ−Ａ線に沿う概略的な断面図である。
【図７】図２に示される集塵装置の概略的な断面図である。
【図８】図２に示される集塵装置の内部ダクトの概略的な斜視図である。
【図９】図２に示される集塵装置のベローズ管の概略的な斜視図である。
【図１０】図２に示される集塵装置の概略的な斜視図である。
【図１１】図２に示される集塵装置の概略的な斜視図である。
【図１２】図２に示される集塵装置の集塵ユニットの概略的な斜視図である。
【図１３】図１２に示される集塵ユニットの保持箱の概略的な斜視図である。
【図１４】図１２に示される集塵ユニットの概略的な斜視図である。
【発明を実施するための形態】
【００４４】
添付の図面を参照して、集塵装置に関する様々な実施形態が以下に説明される。集塵装置の原理は、以下の説明によって、明確に理解可能である。「上」、「下」、「左」や「右」といった方向を表す用語は、単に、説明の明瞭化を目的とする。したがって、これらの用語は、限定的に解釈されるべきものではない。
【００４５】
＜第１実施形態＞
第１実施形態に関連して、集塵装置の概略的な設計原理が説明される。
【００４６】
図１は、第１実施形態の集塵装置１００の設計原理を表す概念図である。図１を参照して、集塵装置１００が説明される。尚、図１に示される実線矢印は、空気の流れを表す。
【００４７】
集塵装置１００は、筐体２００と、集塵機構３００と、ホース４００と、保持部５００と、を備える。筐体２００は、塵埃が集積される内部空間２０１を規定する。集塵機構３００は、内部空間２０１内に配置される。集塵機構３００は、気流を利用して、塵埃を集める。筐体２００は、内部空間２０１への塵埃の流入を許容する流入口２０２を規定する。集塵機構３００は、ホース４００といった空気の流動経路内の気圧を低減し、流入口２０２から塵埃を吸引する。塵埃は、流入口２０２から内部空間２０１に侵入し、集塵機構３００内を通過する。その後、塵埃は、ホース４００を通じて、筐体２００の外に流出し、再度、内部空間２０１に流入する。塵埃は、最終的に、集塵機構３００によって集積される。本実施形態において、流入口２０２は、第１流入口として例示される。
【００４８】
ホース４００は、空気の流れにおいて下流に位置する下流端４１０と、下流端４１０とは反対の上流端４２０と、を含む。筐体２００は、下流端４１０に接続される第１接続部２１０と、上流端４２０に接続される第２接続部２２０と、を含む。ホース４００は、上流端４２０から下流端４１０へ向かう気流を案内する。本実施形態において、下流端４１０は、基端部として例示される。上流端４２０は、先端部として例示される。
【００４９】
上流端４２０は、第２接続部２２０から取り外し可能である。使用者が、上流端４２０を第２接続部２２０から取り外すならば、塵埃は、上流端４２０から吸引される。使用者が、上流端４２０を第２接続部２２０に接続するならば、上述の如く、塵埃は、流入口２０２から吸引される。図１に示される如く、上流端４２０が第２接続部２２０に接続されている間、保持部５００は、ホース４００を保持する。
【００５０】
図１には、集塵機構３００の重心ＧＣが示されている。重心ＧＣと第１接続部２１０とを通過する仮想的な平面と重なるように第２接続部２２０の位置は定められる。この結果、上流端４２０が第２接続部２２０に接続されている間、ホース４００は、仮想的な平面に沿って、気流及び流入口２０２から流入した塵埃を案内することができる。集塵機構３００は、吸引ファンや気流を生じさせる他の装置を用いて構築され得るが、重心ＧＣが水平方向において内部空間２０１に略中心に位置するように集塵機構３００を設計することは容易である。この場合、第２接続部２２０の上流における空気の流動経路を、上述の仮想的な平面に対して、対称的に設計することも容易になる。本実施形態において、仮想的な平面は、基準平面として例示される。第１接続部２１０及び第２接続部２２０の位置は、基準平面上の適切な位置に形成される。例えば、第１接続部２１０は、床面に接地される筐体の部位（即ち、底部）とは反対側の天壁部に形成されてもよい。代替的に、第１接続部２１０は、底部と天壁部との間で内部空間２０１を規定する周壁部に形成されてもよい。第２接続部２２０は、基準平面において、第１接続部２１０よりも筐体２００の後方位置に形成されてもよい。尚、本実施形態で用いられる「前方」との方向的用語は、流入口２０２の開口方向を意味してもよい。「後方」との方向的用語とは、流入口２０２の開口方向とは反対方向を意味してもよい。
【００５１】
上流端４２０が、第２接続部２２０から取り外されるならば、使用者は、ホース４００を移動し、集塵装置１００の周囲の領域から塵埃を除去することができる。このとき、使用者は、ホース４００を引っ張ることもある。ホース４００に加わる張力は、筐体２００を転倒させるように作用することもある。上述の如く、ホース４００の下流端４１０が接続される第１接続部２１０は、重心ＧＣと共通の平面上に位置するので、ホース４００に作用する張力によって特定の方向に倒れやすくなるといった望ましくない性質は生じにくくなる。
【００５２】
上述の如く、集塵装置１００は、使用者が流入口２０２からの塵埃の吸引と上流端４２０からの塵埃の吸引とを選択することを許容する。例えば、使用者が、モップのエッジから塵埃を除去することを望むならば、使用者は、流入口２０２からの塵埃の吸引を選択すればよい。使用者が、流入口２０２の周囲でモップを移動するならば、モップの毛先に付着した塵埃は効率的に除去される。使用者が、モップの中央領域から塵埃を除去することを望むならば、使用者は、上流端４２０からの塵埃の吸引を選択すればよい。使用者は、上流端４２０をモップの中央領域に近づけるならば、モップの中央領域に付着した塵埃は効率的に吸引される。加えて、使用者は、ホース４００の上流端４２０を動かし、モップからの塵埃の除去処理中に集塵装置１００の周囲に散乱した塵埃を効率的に集めることもできる。
【００５３】
集塵装置１００は、モップからの塵埃の除去以外の用途にも利用可能である。例えば、使用者が、箒で集められた塵埃に流入口２０２を近づけるならば、集塵装置１００は、ちりとりとしての役割を果たす。本実施形態の原理は、集塵装置１００の使用用途によって何ら限定されない。
【００５４】
＜第２実施形態＞
第１実施形態に関連して説明された設計原理に基づいて構築された例示的な集塵装置が説明される。尚、第１実施形態の設計原理に基づいて様々な集塵装置が構築可能である。したがって、第２実施形態の集塵装置を用いて示される詳細な構造、形状や寸法は、集塵装置の原理を何ら限定しない。
【００５５】
図２は、第２実施形態の集塵装置１００Ａの概略的な斜視図である。集塵装置１００Ａは、図１及び図２を参照して説明される。
【００５６】
集塵装置１００Ａは、筐体２００Ａとベローズ管４００Ａと、を備える。第１実施形態と同様に、筐体２００Ａは、塵埃を吸引並びに集積するための機構を収容する。ベローズ管４００Ａは、第１実施形態に関連して説明されたホース４００に対応する。
【００５７】
筐体２００Ａは、床面に接地される底部２３０と、底部２３０とは反対側の天壁部２４０と、底部２３０と天壁部２４０との間で塵埃を吸引並びに集積するための機構を取り囲む周壁部２５０と、を含む。天壁部２４０は、略円筒状の上接続部２１０Ａを含む。ベローズ管４００Ａは、基端部４１０Ａを含む。基端部４１０Ａは、上接続部２１０Ａに回転可能に挿入される。したがって、基端部４１０Ａは、床面に対して略垂直な軸周りに回転可能である。上接続部２１０Ａは、第１実施形態に関連して説明された第１接続部２１０に対応する。
【００５８】
筐体２００Ａは、天壁部２４０から上方に延出するアーチ状の保持アーム５００Ａを含む。保持アーム５００Ａは、ベローズ管４００Ａを保持する。保持アーム５００Ａは、第１実施形態に関連して説明された保持部５００に対応する。
【００５９】
図２には、仮想的な平行平面ＰＰ１，ＰＰ２が示されている。平行平面ＰＰ１，ＰＰ２は、略円筒状の上接続部２１０Ａに接するように描かれている。また、平行平面ＰＰ２は、平行平面ＰＰ１に対して平行である。
【００６０】
保持アーム５００Ａによって保持されたベローズ管４００Ａは、平行平面ＰＰ１，ＰＰ２の間の空間に沿って、基端部４１０Ａに向かう気流を案内する。塵埃を吸引並びに集積するための機構の重心が、平行平面ＰＰ１，ＰＰ２の間に位置するように、塵埃を吸引並びに集積するための機構は設計される。
【００６１】
図２には、平行平面ＰＰ１，ＰＰ２の間に垂直平面ＶＰが描かれている。垂直平面ＶＰは、筐体２００Ａが置かれる床面に対して垂直である。塵埃を吸引並びに集積するための機構の重心は、垂直平面ＶＰ上に存在している。垂直平面ＶＰは、第１実施形態に関連して説明された仮想的な平面に対応する。
【００６２】
本実施形態において、垂直平面ＶＰは、保持アーム５００Ａによって保持されたベローズ管４００Ａを流れる空気の流動経路の中心を通過する。代替的に、垂直平面は、流動経路の中心からずれた位置に設定されてもよい。
【００６３】
筐体２００Ａは、垂直平面ＶＰに対して対称的な形状を有する。尚、「対称的」との用語は、数学的に完全な「対称」を意味するものではない。筐体２００Ａが、垂直平面ＶＰに対して、全体的に対称的に見えるならば、筐体２００Ａは、垂直平面ＶＰに対して対称的である。
【００６４】
周壁部２５０は、前壁部２５１と、前壁部２５１とは反対側の後壁部２５２と、を含む。筐体２００Ａは、前外殻片２６０と、後外殻片２７０と、上外殻片２８０と、下外殻片２９０と、を含む。前外殻片２６０は、前壁部２５１を主に形成する。後外殻片２７０は、後壁部２５２を主に形成する。上外殻片２８０は、前外殻片２６０及び後外殻片２７０の上縁に接続される。下外殻片２９０は、底部２３０を主に形成する。加えて、下外殻片２９０は、前壁部２５１の下部と後壁部２５２の下部とを形成する。
【００６５】
集塵装置１００Ａは、集塵ユニット３１０を備える。集塵ユニット３１０は、筐体２００Ａ内に挿入され、且つ、前壁部２５１上で露出する。ベローズ管４００Ａを通じて筐体２００Ａ内に流入した空気は、集塵ユニット３１０を通過する。集塵ユニット３１０は、空気から塵埃を除去する。この結果、塵埃は、集塵ユニット３１０内に集積されることになる。したがって、集塵ユニット３１０は、第１実施形態に関連して説明された集塵機構３００の一部の機能を担う。
【００６６】
図３Ａは、前外殻片２６０の概略的な斜視図である。図３Ｂは、前外殻片２６０の他の概略的な斜視図である。図１乃至図３Ｂを参照して、前外殻片２６０が説明される。
【００６７】
前外殻片２６０は、前壁部２５１の一部を形成する主壁部２６１と、主壁部２６１から後外殻片２７０に向けて突出する筒状の室壁２６２と、を含む。室壁２６２は、集塵ユニット３１０を収容するための収容空間２６３を規定する。収容空間２６３は、第１実施形態に関連して説明された内部空間２０１の一部に対応する。
【００６８】
室壁２６２は、下壁２６４と、上壁２６５と、右壁２６６と、左壁２６７と、後壁２６８と、を含む。下壁２６４は、集塵ユニット３１０の下方に位置する。上壁２６５は、集塵ユニット３１０と上外殻片２８０との間に位置する。右壁２６６は、集塵ユニット３１０の右方に位置する。左壁２６７は、集塵ユニット３１０の左方に位置する。後壁２６８は、後外殻片２７０に対向する。
【００６９】
上壁２６５には、開口部２６９が形成される。ベローズ管４００Ａを通じて筐体２００Ａに流入した空気は、開口部２６９を通過する。その後、空気は、収容空間２６３内に挿入された集塵ユニット３１０に流入する。集塵ユニット３１０は、空気から塵埃を除去する。
【００７０】
前外殻片２６０は、上仕切板３２２と、下仕切板３２３と、を更に含む。上仕切板３２２及び下仕切板３２３はともに、主壁部２６１から後外殻片２７０に向けて突出する。上仕切板３２２と下壁２６４との間には、第１空間３３１が形成される。上仕切板３２２と下仕切板３２３との間には、第２空間３３２が形成される。第１空間３３１及び第２空間３３２は、第１実施形態に関連して説明された内部空間２０１の一部に対応する。
【００７１】
図４Ａは、集塵装置１００Ａの概略的な右側面図である。図４Ｂは、図４Ａに示されるＡ−Ａ線に沿う概略的な断面図である。図１、図３Ａ、図４Ａ及び図４Ｂを参照して、集塵装置１００Ａが更に説明される。
【００７２】
集塵装置１００Ａは、集塵ユニット３１０の下方の第１空間３３１内に配置された吸引ファン３２０を備える。吸引ファン３２０の上方の下壁２６４には、開口メッシュ部３２１が形成される。空気は、吸引ファン３２０によって、開口メッシュ部３２１を通じて吸引されるので、吸引ファン３２０は、ベローズ管４００Ａから集塵ユニット３１０へ向かう気流を発生させることができる。したがって、吸引ファン３２０は、第１実施形態に関連して説明された集塵機構３００の一部の機能を担う。本実施形態において、吸引ファン３２０は、気流生成部として例示される。
【００７３】
吸引ファン３２０が作動している間、空気は、筐体２００Ａの上接続部２１０Ａに接続されたベローズ管４００Ａの基端部４１０Ａから開口メッシュ部３２１に向けて流れる。上接続部２１０Ａと吸引ファン３２０との間に配置された集塵ユニット３１０は、空気から塵埃を除去並びに集積する。本実施形態において、集塵ユニット３１０は、集塵部として例示される。
【００７４】
吸引ファン３２０は、集塵ユニット３１０よりも重い。したがって、集塵ユニット３１０と吸引ファン３２０とによって構築された集塵構造体の重心は、床面Ｆの近くに設定されることになる。この結果、筐体２００Ａは、転倒しにくくなる。
【００７５】
図５は、集塵装置１００Ａの概略的な背面図である。図１、図４Ｂ及び図５を参照して、集塵装置１００Ａが更に説明される。
【００７６】
集塵装置１００Ａは、吸引ファン３２０の下方の第２空間３３２内に配置されたリール機構３４０を更に備える。リール機構３４０は、吸引ファン３２０への電力の伝達に利用される。吸引ファン３２０は、リール機構３４０によって伝達された電力によって動作することができる。したがって、リール機構３４０は、第１実施形態に関連して説明された集塵機構３００の一部の機能を担う。本実施形態において、リール機構３４０は、伝達部として例示される。
【００７７】
リール機構３４０は、プラグ３４１と、コード３４２と、回転式のリール部３４３と、操作ボタン３４４と、を備える。プラグ３４１は、後外殻片２７０から露出し、電源（図示せず）に接続される。コード３４２は、プラグ３４１から延び、リール部３４３に巻き付けられる。使用者が、集塵装置１００Ａを電源から離れた位置で使用するならば、コード３４２は、リール部３４３から巻き出される。使用者が、プラグ３４１を電源から外し、後外殻片２７０から露出した操作ボタン３４４を押すと、リール部３４３は回転し、コード３４２を巻き取る。
【００７８】
吸引ファン３２０と同様に、リール機構３４０は、集塵ユニット３１０よりも重い。したがって、集塵ユニット３１０と吸引ファン３２０とリール機構３４０とによって構築された集塵構造体の重心は、床面Ｆの近くに設定されることになる。この結果、筐体２００Ａは、転倒しにくくなる。
【００７９】
周壁部２５０は、底部２３０と天壁部２４０との間で、収容空間２６３と第１空間３３１と第２空間３３２とを規定する。集塵ユニット３１０は、収容空間２６３内に配置される。吸引ファン３２０は、第１空間３３１内に配置される。リール機構３４０は、第２空間３３２内に配置される。収容空間２６３内の集塵ユニット３１０、第１空間３３１内の吸引ファン３２０及び第２空間３３２内のリール機構３４０は、形状的及び重量的に、垂直平面ＶＰに対して略対称である。
【００８０】
図６Ａは、集塵装置１００Ａの概略的な正面図である。図６Ｂは、図６Ａに示されるＡ−Ａ線に沿う概略的な断面図である。図３Ｂ、図６Ａ及び図６Ｂを参照して、集塵装置１００Ａが説明される。
【００８１】
後壁部２５２を形成する後外殻片２７０は、コーナ外殻２７１と、排気壁２７２と、を含む。コーナ外殻２７１は、垂直平面ＶＰに対して対称的な曲面輪郭を有し、前壁部２５１とは反対方向に屈曲する。排気壁２７２は、右排気壁２７３と、左排気壁２７４と、半筒壁２７５と、を含む。右排気壁２７３は、コーナ外殻２７１の右に配置される。左排気壁２７４は、コーナ外殻２７１の左に配置される。半筒壁２７５は、右排気壁２７３と左排気壁２７４との間に配置される。
【００８２】
図３Ｂに示される如く、前外殻片２６０は、円筒壁３２４を含む。円筒壁３２４は、下壁２６４から下方に突出する。図６Ｂに示される如く、円筒壁３２４は、吸引ファン３２０を取り囲む。円筒壁３２４には、排出口３２５が形成される。排出口３２５は、前外殻片２６０に向けて開口する。
【００８３】
右排気壁２７３には、多数の排気穴２７６が形成される。右排気壁２７３と同様に、左排気壁２７４にも、多数の排気穴２７７が形成される。吸引ファン３２０がベローズ管４００Ａを通じて吸引した空気は、排出口３２５から吹き出される。ベローズ管４００Ａと吸引ファン３２０との間には集塵ユニット３１０が存在するので、塵埃は、排出口３２５から吹き出される空気から除去されている。
【００８４】
円筒壁３２４と前外殻片２６０との間、円筒壁３２４と右排気壁２７３との間及び円筒壁３２４と左排気壁２７４との間には、排出口３２５から吹き出された空気を排気穴２７６，２７７へ案内するための流路が形成される。したがって、空気は、最終的に、排気穴２７６，２７７から排気される。
【００８５】
右排気壁２７３及びコーナ外殻２７１の右半分は、前外殻片２６０の右端から垂直平面ＶＰに近づく輪郭を描く。同様に、左排気壁２７４及びコーナ外殻２７１の左半分も、前外殻片２６０の左端から垂直平面ＶＰに近づく輪郭を描く。これらの輪郭によって規定される角度θは、鋭角である。例えば、角度θは、約６０°に設定されてもよい。本実施形態において、右排気壁２７３及び左排気壁２７４のうち一方は、第１壁部として例示される。右排気壁２７３及び左排気壁２７４のうち他方は、第２壁部として例示される。右排気壁２７３が第１壁部として例示されるならば、コーナ外殻２７１の右半分は、第１壁部として例示される一方で、コーナ外殻２７１の左半分は、第２壁部として例示される。右排気壁２７３が第２壁部として例示されるならば、コーナ外殻２７１の右半分は、第２壁部として例示される一方で、コーナ外殻２７１の左半分は、第１壁部として例示される。角度θは、挟角として例示される。
【００８６】
前外殻片２６０に向けて湾曲した半筒壁２７５は、第１空間３３１を、流動空間３３３と接続空間３３４とに分ける。排出口３２５から吹き出された空気は、流動空間３３３内で流れ、最終的に、排気穴２７６，２７７から排気される。接続空間３３４は、ベローズ管４００Ａと筐体２００Ａとの接続に用いられる。本実施形態において、接続空間３３４は、コーナ部として例示される。
【００８７】
図７は、垂直平面ＶＰに沿う集塵装置１００Ａの概略的な断面図である。図１、図４Ａ、図５及び図７を参照して、集塵装置１００Ａが説明される。
【００８８】
周壁部２５０を形成する排気壁２７２は、天壁部２４０からコーナ外殻２７１の上端に向けて下方に傾斜する傾斜壁２７８を含む。保持アーム５００Ａは、天壁部２４０から上方に延出した後、下方に湾曲し、傾斜壁２７８に接続される。
【００８９】
図７に示される如く、ベローズ管４００Ａは、基端部４１０Ａとは反対側の先端部４２０Ａを含む。先端部４２０Ａは、第１実施形態に関連して説明された上流端４２０に対応する。
【００９０】
傾斜壁２７８とコーナ外殻２７１の上端は、上方に開口した下接続部２２０Ａを形成する。下接続部２２０Ａは、先端部４２０Ａと筐体２００Ａとの接続に利用される。下接続部２２０Ａは、第１実施形態に関連して説明された第２接続部２２０に対応する。
【００９１】
集塵装置１００Ａは、Ｌ字状の流動経路を規定する内部ダクト３５０を更に備える。保持アーム５００Ａがベローズ管４００Ａを保持している間、筐体２００Ａの外の空気は、内部ダクト３５０を通じて、ベローズ管４００Ａに流入する。保持アーム５００Ａによって保持されたベローズ管４００Ａと同様に、内部ダクト３５０は、垂直平面ＶＰに沿って配置される。内部ダクト３５０は、第１実施形態に関連して説明された集塵機構３００の一部に対応する。
【００９２】
図８は、内部ダクト３５０の概略的な斜視図である。図６Ａ乃至図８を参照して、集塵装置１００Ａが説明される。
【００９３】
図７に示される如く、前壁部２５１は、床面Ｆから離間した下端縁２５３を含む。この結果、筐体２００Ａの外の空気が筐体２００Ａ内へ流入することを許容する外流入口２０２Ａが、下端縁２５３と床面Ｆとの間に形成される。外流入口２０２Ａは、第１実施形態に関連して説明された流入口２０２に対応する。本実施形態において、外流入口２０２Ａは、第１流入口として例示される。
【００９４】
図６Ａに示される如く、外流入口２０２Ａは、床面Ｆに沿って延びるスリットである。したがって、集塵装置１００Ａは、前壁部２５１の前の広い領域から空気及び塵埃を吸引することができる。例えば、使用者が、モップを外流入口２０２Ａの近くに配置するならば、塵埃は、モップから効率的に取り除かれることになる。
【００９５】
図７に示される如く、内部ダクト３５０は、水平ダクト３５１と、直立ダクト３５２と、を含む。水平ダクト３５１は、外流入口２０２Ａから流入した空気の流れを床面Ｆに沿って案内する。直立ダクト３５２は、水平ダクト３５１の下流端から上方に屈曲し、接続空間３３４（図６Ｂを参照）に沿って延びる。直立ダクト３５２の上端は、ベローズ管４００Ａの先端部４２０Ａに挿入される。本実施形態において、水平ダクト３５１は、第１ダクトとして例示される。
【００９６】
水平ダクト３５１は、外流入口２０２Ａに向けて開口した内流入口３５４を規定する開口端３５５を含む。本実施形態において、内流入口３５４は、第２流入口として例示される。開口端３５５は、流入端部として例示される。
【００９７】
外流入口２０２Ａから筐体２００Ａ内に流入した空気は、内流入口３５４を通じて水平ダクト３５１へ導入される。その後、空気は、水平ダクト３５１から直立ダクト３５２へ流入する。直立ダクト３５２は、ベローズ管４００Ａの先端部４２０Ａへ案内する。本実施形態において、直立ダクト３５２は、第２ダクトとして例示される。直立ダクト３５２の上端は、連結端部として例示される。
【００９８】
図８に示される如く、水平ダクト３５１は、開口端３５５から直立ダクト３５２の下端部に向けて狭まるテーパ流路を規定する。したがって、内部ダクト３５０は、外流入口２０２Ａから流入した空気及び塵埃をベローズ管４００Ａへ適切に案内することができる。
【００９９】
図７に示される如く、内部ダクト３５０は、分離片３５６を含む。分離片３５６は、水平ダクト３５１と直立ダクト３５２との間の屈曲部に配置される。分離片３５６は、内部ダクト３５０の他の部分から分離可能である。使用者が、分離片３５６を取り外すと、使用者は、水平ダクト３５１及び直立ダクト３５２の内部空間にアクセスすることができる。したがって、使用者は、内部ダクト３５０内で詰まった塵埃を容易に除去することができる。
【０１００】
図９は、ベローズ管４００Ａの概略的な斜視図である。図７及び図９を参照して、ベローズ管４００Ａが説明される。
【０１０１】
ベローズ管４００Ａは、先端部４２０Ａから基端部４１０Ａまで延びる伸縮管４３０を含む。ベローズ管４００Ａの先端部４２０Ａは、固定筒４２１と先端筒４２２とを含む。固定筒４２１は、伸縮管４３０の外面に噛み合う。先端筒４２２は、固定筒４２１に連結される。先端筒４２２には漏穴４２３が形成される。
【０１０２】
図７に示される如く、ベローズ管４００Ａが下接続部２２０Ａに接続されている間、先端部４２０Ａに挿入された直立ダクト３５２は、漏穴４２３を塞ぐ。したがって、空気は、内部ダクト３５０からベローズ管４００Ａへ効率的に伝達される。本実施形態において、伸縮管４３０及び先端筒４２２は、管壁として例示される。
【０１０３】
集塵装置１００Ａは、ベローズ管４００Ａの先端部４２０Ａに取り付けられる取付部材６００を備える。取付部材６００は、取付筒６１０と箆部６２０とを含む。固定筒４２１及び先端筒４２２は、取付筒６１０に嵌め込まれる。箆部６２０は、伸縮管４３０に沿って延びる。本実施形態において、取付筒６１０は、筒部として例示される。
【０１０４】
箆部６２０は、開口部６２１が形成された先端部６２２を含む。伸縮管４３０は、変形可能である一方で、箆部６２０は、ほとんど変形しない。したがって、ベローズ管４００Ａが下接続部２２０Ａに接続され、伸縮管４３０が保持アーム５００Ａに沿って湾曲している間、先端部６２２は、伸縮管４３０から離間する。使用者は、先端部６２２を容易に握持することができるので、使用者は、ベローズ管４００Ａを下接続部２２０Ａから取り外すことができる。本実施形態において、先端部６２２は、箆端として例示される。
【０１０５】
図１０は、集塵装置１００Ａの概略的な斜視図である。図７、図９及び図１０を参照して、集塵装置１００Ａが説明される。
【０１０６】
上述の如く、使用者は、ベローズ管４００Ａの先端部４２０Ａを、下接続部２２０Ａから取り外すことができる。ベローズ管４００Ａの基端部４１０Ａは、上接続部２１０Ａに回転可能に取り付けられるので、使用者は、ベローズ管４００Ａを上接続部２１０Ａ周りに自由に移動させることができる。この間、ベローズ管４００Ａは、箆部６２０とは反対側に自由に屈曲することができる。したがって、使用者は、ベローズ管４００Ａを屈曲させ、塵埃を様々な領域から除去することができる。
【０１０７】
図９に示される如く、取付部材６００の取付筒６１０には、連通穴６１１が形成される。連通穴６１１は、漏穴４２３に連通する。したがって、使用者が、ベローズ管４００Ａの先端部４２０Ａを、下接続部２２０Ａから取り外すと、連通穴６１１及び漏穴４２３は、開放される。
【０１０８】
ベローズ管４００Ａの先端部４２０Ａが下接続部２２０Ａに接続されている間、内部ダクト３５０は、気流に対して、抵抗として作用する。したがって、吸引ファン３２０は、高い吸引力を達成するように設計される。漏穴４２３及び連通穴６１１の不存在下で、使用者が、ベローズ管４００Ａの先端部４２０Ａを下接続部２２０Ａから取り外すならば、先端部４２０Ａにおいて、過度に高い吸引力が生ずる。使用者が、過度に高い吸引力が生じている先端部４２０Ａをモップに近づけるならば、先端部４２０Ａは、円滑に移動しなくなることもある。漏穴４２３及び連通穴６１１は、下接続部２２０Ａから取り外されたベローズ管４００Ａの先端部４２０Ａで過度に高い吸引力が生ずることを防止する。したがって、使用者は、ベローズ管４００Ａを円滑に移動させ、清掃作業を効率的に行うことができる。
【０１０９】
図１１は、集塵装置１００Ａの概略的な斜視図である。図１２は、集塵ユニット３１０の概略的な斜視図である。図１１及び図１２を参照して、集塵装置１００Ａが説明される。
【０１１０】
前外殻片２６０には、略矩形状の挿入口３１１が形成される。使用者は、集塵ユニット３１０を挿入口３１１に挿入することができる。必要に応じて、使用者は、集塵ユニット３１０を挿入口３１１から引き出すこともできる。
【０１１１】
集塵ユニット３１０は、保持箱３７０と集塵袋３８０とを含む。保持箱３７０は、集塵袋３８０を保持する。必要に応じて、使用者は、集塵袋３８０を保持箱３７０から分離することができる。
【０１１２】
図１３は、保持箱３７０の概略的な斜視図である。図１１乃至図１３を参照して、集塵ユニット３１０が説明される。
【０１１３】
保持箱３７０は、主板３７１と保持枠３７２とを含む。主板３７１は、外面３７３を含む。集塵ユニット３１０が筐体２００Ａ内に収容されたとき、外面３７３は、前外殻片２６０に略面一になる。外面３７３には、凹部３７４が形成される。主板３７１は、凹部３７４に配置されたノブ３７５を含む。使用者は、ノブ３７５を握持し、集塵ユニット３１０を筐体２００Ａから引き出し、或いは、筐体２００Ａに挿入してもよい。
【０１１４】
保持枠３７２は、主板３７１から後外殻片２７０に向けて突出する。保持枠３７２は、上板３７６と、下板３７７と、右板３７８と、左板３７９と、を含む。下板３７７は、開口メッシュ部３２１が形成された下壁２６４に隣接する。下板３７７には、開口メッシュ部３２１に連通するメッシュ領域３９１が形成される。右板３７８は、下板３７７の右縁から上方に屈曲する。左板３７９は、下板３７７の左縁から上方に屈曲する。上板３７６は、右板３７８及び左板３７９の上縁の間で延びる。
【０１１５】
上板３７６は、右レール部３９２と左レール部３９３とを含む。右レール部３９２及び左レール部３９３は、主板３７１から後外殻片２７０に向けて延出する。右レール部３９２と左レール部３９３との間において、上板３７６には、集塵袋３８０を挿入するための挿入空間３９４が形成される。集塵袋３８０は、塵埃を集積する袋部３８１と、袋部３８１より高い剛性を有する矩形板３８２と、を含む。矩形板３８２の右縁は、右レール部３９２に噛み合う。矩形板３８２の左縁は、左レール部３９３に噛み合う。使用者は、矩形板３８２を右レール部３９２及び左レール部３９３に沿って摺動させ、集塵袋３８０を保持箱３７０から分離することができる。
【０１１６】
図１４は、集塵ユニット３１０の概略的な斜視図である。図４Ｂ、図１１及び図１４を参照して、集塵ユニット３１０が説明される。
【０１１７】
矩形板３８２には、開口部３８３が形成される。集塵ユニット３１０が筐体２００Ａに収容されている間、開口部３８３は、ベローズ管４００Ａの基端部４１０Ａに対向する。吸引ファン３２０が作動すると、ベローズ管４００Ａの基端部４１０Ａから吸引ファン３２０に向かう下向きの気流が発生する。塵埃及び空気は、開口部３８３を通じて、袋部３８１に流入する。袋部３８１は、空気の通過を許容する一方で、塵埃を捕捉する。したがって、袋部３８１内に塵埃が集積されることになる。
【０１１８】
図１４に示される如く、未使用の袋部３８１は、折り畳まれていてもよい。上述の如く、袋部３８１は下向きの気流の透過を許容するので、袋部３８１は、下方に伸長する。したがって、塵埃を集積するための容積は、自動的に確保されることになる。
【産業上の利用可能性】
【０１１９】
本実施形態の原理は、清掃作業に用いられる装置に好適に利用される。
【符号の説明】
【０１２０】
１００，１００Ａ・・・・・集塵装置
２００，２００Ａ・・・・・筐体
２０１・・・・・・・・・・内部空間
２０２・・・・・・・・・・流入口
２０２Ａ・・・・・・・・・外流入口
２１０・・・・・・・・・・第１接続部
２１０Ａ・・・・・・・・・上接続部
２２０・・・・・・・・・・第２接続部
２２０Ａ・・・・・・・・・下接続部
２３０・・・・・・・・・・底部
２４０・・・・・・・・・・天壁部
２５０・・・・・・・・・・周壁部
２５１・・・・・・・・・・前壁部
２５２・・・・・・・・・・後壁部
２７１・・・・・・・・・・コーナ外殻
２７３・・・・・・・・・・右排気壁
２７４・・・・・・・・・・左排気壁
２７６，２７７・・・・・・排気穴
３００・・・・・・・・・・集塵機構
３１０・・・・・・・・・・集塵ユニット
３２０・・・・・・・・・・吸引ファン
３３４・・・・・・・・・・接続空間
３４０・・・・・・・・・・リール機構
３４１・・・・・・・・・・プラグ
３４２・・・・・・・・・・コード
３４３・・・・・・・・・・リール部
３５０・・・・・・・・・・内部ダクト
３５１・・・・・・・・・・水平ダクト
３５２・・・・・・・・・・直立ダクト
３５４・・・・・・・・・・内流入口
３５５・・・・・・・・・・開口端
３８０・・・・・・・・・・集塵袋
４００・・・・・・・・・・ホース
４００Ａ・・・・・・・・・ベローズ管
４１０・・・・・・・・・・下流端
４１０Ａ・・・・・・・・・基端部
４２０・・・・・・・・・・上流端
４２０Ａ・・・・・・・・・先端部
４２２・・・・・・・・・・先端筒
４２３・・・・・・・・・・漏穴
４３０・・・・・・・・・・伸縮管
５００・・・・・・・・・・保持部
５００Ａ・・・・・・・・・保持アーム      
６００・・・・・・・・・・取付部材
６１０・・・・・・・・・・取付筒
６２０・・・・・・・・・・箆部
６２２・・・・・・・・・・先端部
Ｆ・・・・・・・・・・・・床面
ＧＣ・・・・・・・・・・・重心
ＶＰ・・・・・・・・・・・垂直平面
θ・・・・・・・・・・・・角度
【図１】
2015039378.tif 000003
【図２】
2015039378.tif 000004
【図３Ａ】
2015039378.tif 000005
【図３Ｂ】
2015039378.tif 000006
【図４Ａ】
2015039378.tif 000007
【図４Ｂ】
2015039378.tif 000008
【図５】
2015039378.tif 000009
【図６Ａ】
2015039378.tif 000010
【図６Ｂ】
2015039378.tif 000011
【図７】
2015039378.tif 000012
【図８】
2015039378.tif 000013
【図９】
2015039378.tif 000014
【図１０】
2015039378.tif 000015
【図１１】
2015039378.tif 000016
【図１２】
2015039378.tif 000017
【図１３】
2015039378.tif 000018
【図１４】
2015039378.tif 000019